(57)【要約】【課題】画像の背景をぼかしたぼかし画像データを生成して記録すること。【解決手段】制御部１９は、撮影処理を行なって画像データを取得したときに、画像内の主要被写体と背景とを分離してマップ情報を生成して画像ファイルに記録しておく。そして、データ処理部１７は、マップ情報に基づいて特定される背景に対して、複数のぼかし強度でぼかし処理を施す。制御部１９は、データ処理部１７によるぼかし処理の結果得られる複数の背景をぼかすために用いるぼかしデータ、すなわち本画像データと複数のぼかし画像データの差分値を圧縮した圧縮データを画像ファイルに格納して本画像ファイルとぼかしデータとを関連付ける。【選択図】図１
2010081050.tif 000002
【特許請求の範囲】
【請求項１】
被写体像を撮像して画像データを取得する撮像手段と、
前記撮像手段により取得した元画像データに基づいて、画像内の主要被写体と背景とを分離する分離手段と、
前記背景に対して第１のぼかし強度でぼかし処理を施す第１のぼかし手段と、
前記背景に対して前記第１のぼかし強度とは異なる第２のぼかし強度でぼかし処理を施す第２のぼかし手段と、
前記第１のぼかし手段によるぼかし処理の結果として生成される、ぼかし処理済みのぼかしデータまたは前記背景をぼかすために用いるぼかしデータと、前記第２のぼかし手段によるぼかし処理の結果として生成される、ぼかし処理済みのぼかしデータまたは前記背景をぼかすために用いるぼかしデータとを前記元画像データと関連付けて記憶媒体に記録する記録制御手段とを備えることを特徴とするカメラ。
【請求項２】
被写体像を撮像して画像データを取得する撮像手段と、
前記撮像手段により取得した元画像データに基づいて、画像内の主要被写体と背景とを分離する分離手段と、
前記背景に対して、複数のぼかし強度のうち、使用者によって指定されたぼかし強度でぼかし処理を施すぼかし手段と、
前記ぼかし手段によるぼかし処理の結果として生成される、ぼかし処理済みのぼかしデータまたは前記背景をぼかすために用いるぼかしデータを前記元画像データと関連付けて記憶媒体に記録する記録制御手段とを備えることを特徴とするカメラ。
【請求項３】
請求項１または２に記載のカメラにおいて、
前記記録制御手段は、前記元画像データと、前記ぼかしデータとを１つの画像ファイル内に格納することによって関連付けて、前記記憶媒体に記録することを特徴とするカメラ。
【請求項４】
請求項３に記載のカメラにおいて、
前記記録制御手段は、前記元画像データと、前記ぼかし処理によって生成されるぼかし画像データとの差分値を算出し、前記差分値を圧縮したデータを前記背景をぼかすために用いるぼかしデータとして、前記画像ファイル内に格納することを特徴とするカメラ。
【請求項５】
請求項２に記載のカメラにおいて、
使用者によって指定されたぼかし強度で、ある画像の背景に対してぼかし処理が施された結果として生成された前記ぼかしデータが前記記憶媒体に記録されている場合に、使用者によってその元画像データの背景に対して適用する前記ぼかし強度が変更された場合には、前記ぼかし手段は、変更後のぼかし強度でその元画像データの背景に対してぼかし処理を施し、前記記録制御手段は、前記記憶媒体に記録されている前記ぼかしデータを、前記ぼかし手段によるぼかし処理の結果として生成される、前記ぼかし処理済みのぼかしデータまたは前記背景をぼかすために用いるぼかしデータのいずれかで上書きすることを特徴とするカメラ。
【請求項６】
請求項５に記載のカメラにおいて、
前記記録制御手段は、前記ぼかしデータとともに、そのぼかしデータが生成されたときに適用されたぼかし強度に関する情報を前記記憶媒体に記録し、
前記記録制御手段は、前記記憶媒体に記録されている前記ぼかしデータを、前記ぼかし手段による新たなぼかし処理の結果として生成されたぼかしデータで上書きした場合には、前記記憶媒体に記録されている前記ぼかし強度に関する情報を前記変更後のぼかし強度に関する情報で上書きすることを特徴とするカメラ。
【請求項７】
請求項６に記載のカメラにおいて、
ぼかし処理済みの画像とその画像に適用されている前記ぼかし強度に関する情報とを関連付けて表示装置に表示する表示制御手段をさらに備えることを特徴とするカメラ。
【請求項８】
請求項１に記載のカメラにおいて、
前記分離手段、前記第１のぼかし手段、前記第２のぼかし手段、および前記記録制御手段は、カメラの電源がオフされたときに請求項１に記載の処理を開始することを特徴とするカメラ。
【発明の詳細な説明】
【技術分野】
【０００１】
本発明は、カメラに関する。
【背景技術】
【０００２】
次のような撮影装置が知られている。この撮影装置は、画像のぼけ度合いを判定し、判定結果に応じて画像のぼけを強調する（例えば、特許文献１）。
【０００３】
【特許文献１】国際公開第２００７／０４９６３４号
【発明の開示】
【発明が解決しようとする課題】
【０００４】
しかしながら、従来の撮影装置では、画像のぼけ度合いに応じたぼけ強調処理を行うため、得られるぼけ画像が必ずしも使用者の好みのぼかし強度でぼけが強調された画像ではない可能性があった。
【課題を解決するための手段】
【０００５】
本発明によるカメラは、被写体像を撮像して画像データを取得する撮像手段と、撮像手段により取得した元画像データに基づいて、画像内の主要被写体と背景とを分離する分離手段と、背景に対して第１のぼかし強度でぼかし処理を施す第１のぼかし手段と、背景に対して第１のぼかし強度とは異なる第２のぼかし強度でぼかし処理を施す第２のぼかし手段と、第１のぼかし手段によるぼかし処理の結果として生成される、ぼかし処理済みのぼかしデータまたは背景をぼかすために用いるぼかしデータと、第２のぼかし手段によるぼかし処理の結果として生成される、ぼかし処理済みのぼかしデータまたは背景をぼかすために用いるぼかしデータとを元画像データと関連付けて記憶媒体に記録する記録制御手段とを備えることを特徴とする。
本発明によるカメラはまた、被写体像を撮像して画像データを取得する撮像手段と、撮像手段により取得した元画像データに基づいて、画像内の主要被写体と背景とを分離する分離手段と、背景に対して、複数のぼかし強度のうち、使用者によって指定されたぼかし強度でぼかし処理を施すぼかし手段と、ぼかし手段によるぼかし処理の結果として生成される、ぼかし処理済みのぼかしデータまたは背景をぼかすために用いるぼかしデータを元画像データと関連付けて記憶媒体に記録する記録制御手段とを備えることを特徴とする。
本発明のカメラは、記録制御手段は、元画像データと、ぼかしデータとを１つの画像ファイル内に格納することによって関連付けて、記憶媒体に記録するようにしてもよい。
記録制御手段は、元画像データと、ぼかし処理によって生成されるぼかし画像データとの差分値を算出し、差分値を圧縮したデータを背景をぼかすために用いるぼかしデータとして、画像ファイル内に格納するようにしてもよい。
使用者によって指定されたぼかし強度で、ある画像の背景に対してぼかし処理が施された結果として生成されたぼかしデータが記憶媒体に記録されている場合に、使用者によってその元画像データの背景に対して適用するぼかし強度が変更された場合には、ぼかし手段は、変更後のぼかし強度でその元画像データの背景に対してぼかし処理を施し、記録制御手段は、記憶媒体に記録されているぼかしデータを、ぼかし手段によるぼかし処理の結果として生成される、ぼかし処理済みのぼかしデータまたは背景をぼかすために用いるぼかしデータのいずれかで上書きするようにしてもよい。
記録制御手段は、ぼかしデータとともに、そのぼかしデータが生成されたときに適用されたぼかし強度に関する情報を前記記憶媒体に記録し、記録制御手段は、記憶媒体に記録されているぼかしデータを、ぼかし手段による新たなぼかし処理の結果として生成されたぼかしデータで上書きした場合には、記憶媒体に記録されているぼかし強度に関する情報を変更後のぼかし強度に関する情報で上書きするようにしてもよい。
ぼかし処理済みの画像とその画像に適用されているぼかし強度に関する情報とを関連付けて表示装置に表示するようにしてもよい。
分離手段、第１のぼかし手段、第２のぼかし手段、および記録制御手段は、カメラの電源がオフされたときに上記処理を開始するようにしてもよい。
【発明の効果】
【０００６】
本発明によれば、使用者の好みに合わせてぼかし処理の程度を変えることができる。
【発明を実施するための最良の形態】
【０００７】
―第１の実施の形態―
図１は、第１の実施の形態におけるデジタルカメラの一実施の形態の構成を示すブロック図である。カメラ１０は、レンズ１１と、レンズ駆動部１２と、撮像素子１３と、信号処理部１４と、タイミングジェネレータ（ＴＧ）１５と、バッファメモリ１６と、データ処理部１７と、圧縮／復号部１８と、制御部１９と、測光部２０と、モニタ２１と、記憶媒体２２と、発光部２３と、操作部２４とを備えている。
【０００８】
レンズ１１は、フォーカスレンズやズームレンズなどを含む複数のレンズで構成されており、これらのレンズを介して被写体像を撮像素子１３へ結像する。レンズ駆動部１２は、制御部１９の指示に応じてレンズ駆動信号を発生し、レンズ１１に含まれるフォーカスレンズやズームレンズを光軸方向に移動させて、フォーカス調整やズーム調整を行う。撮像素子１３は、例えばＣＣＤやＣＭＯＳなどのイメージセンサであり、被写体像を光電変換してアナログ画像信号を生成し、生成したアナログ画像信号を信号処理部１４へ出力する。
【０００９】
信号処理部１４は、撮像素子１３から入力されるアナログ画像信号に対してゲイン調整、例えば、設定されたＩＳＯ感度に応じた信号増幅などを行う。信号処理部１４は、さらに、内蔵するＡ／Ｄ変換回路によってアナログ画像信号をデジタル画像信号に変換し、デジタル画像信号をバッファメモリ１６へ出力する。ＴＧ１５は、制御部１９の指示に基づき、撮像素子１３および信号処理部１４に対してタイミングパルスを供給することによって、それぞれの駆動タイミングを指示する。
【００１０】
バッファメモリ１６は、揮発性のメモリ、例えばＳＤＲＡＭである。このバッファメモリ１６には、信号処理部１４から入力されるデジタル画像信号が一時的に記録される。また、後述する制御部１９は、このバッファメモリ１６にプログラムを展開してワークメモリとして使用したり、処理の過程で生成する画像データを一時的に記録したりする。
【００１１】
データ処理部１７は、制御部１９からの指示に基づいて、バッファメモリ１６に記録されているデジタル画像データに対して、輪郭強調処理、コントラスト調整処理、階調変換処理などの種々の画像処理を施す。データ処理部１７は、上記画像処理を施した後の画像データをバッファメモリ１６へ出力して記録する。また、データ処理部１７は、画像処理を施した後の画像データを縮小して表示用画像データ、すなわちサムネイル画像データを生成する。そして、データ処理部１７は、生成したサムネイル画像データをバッファメモリ１６へ出力して記録する。
【００１２】
圧縮／復号部１８は、制御部１９からの指示に基づいて、バッファメモリ１６に記録されているデータ処理部１７によって画像処理が施された画像データを読み出し、画像データに対して圧縮処理を施す。例えば、圧縮／復号部１８は、画像データを公知のＪＰＥＧ形式の画像データに圧縮することによって、ＪＰＥＧデータを生成する。圧縮／復号部１８は、生成したＪＰＥＧデータをバッファメモリ１６へ出力して記録する。
【００１３】
制御部１９は、圧縮／復号部１８によって生成された画像データにヘッダ情報を格納したヘッダ部を付加した画像ファイル、例えばＪＰＥＧ形式の画像ファイルを生成し、後述する記憶媒体２２に記録する。制御部１９は、画像ファイルのヘッダ部には、データ処理部１７によって生成されてバッファメモリ１６に記録されているサムネイル画像データを含めて記録する。
【００１４】
測光部２０は、制御部１９からの指示に基づいて、信号処理部１４によってバッファメモリ１６に記録されたデジタル画像信号に基づいて、多分割測光（マルチパターン測光）、中央部重点測光、またはスポット測光などの公知の測光方式により、被写体や撮影シーン全体の明るさを示す評価値や撮影シーンの明るさ分布を示す評価値を算出する。制御部１９は、測光部２０によって算出された評価値に基づいて、露出制御を行う。
【００１５】
モニタ２１は、カメラ１００の背面に搭載された液晶モニタ（背面モニタ）である。制御部１９は、モニタ２１に設定メニューや再生画像などの種々の情報を出力して表示する。記憶媒体２２は、例えばメモリカードスロットを介して挿入されるメモリカードや、小型のハードディスクドライブなどの不揮発性の記憶媒体である。上述したように、この記憶媒体２２には、制御部１９によって生成された画像ファイルが記録される。
【００１６】
発光部２３は、被写体を照明するための閃光装置であって、制御部１９からの指示に基づいて発光する。操作部２４は、使用者によって操作される種々の操作ボタンを含んだ操作部材である。操作ボタンとしては、例えば、電源ボタン、レリーズボタン、メニューボタン、決定ボタン、十字ボタン、削除ボタンなどが含まれる。操作部２４は、使用者によるボタン操作を検出して、その操作内容に応じた操作信号を制御部１９へ出力する。
【００１７】
制御部１９は、操作部２４から操作信号が入力された場合には、入力された操作信号に応じてカメラ１０の各部を制御する。例えば、制御部１９は、操作部２４に含まれるレリーズボタンが半押しされたことを示す操作信号が入力された場合には、撮影処理を実行する。本実施の形態では、カメラ１０は、撮影モードとして、通常の撮影モードとぼかし処理撮影モードとを備えている。カメラ１０の撮影モードがぼかし処理撮影モードに設定された場合には、制御部１９は、図２に示す撮影処理を実行する。
【００１８】
なお、制御部１９は、ぼかし処理設定モードで撮影された画像に対しては、カメラ１０の電源がオフされたタイミングで図３で後述するぼかし画像生成処理を実行して、本画像データの背景領域に対して、複数の強度でぼかし処理を施した複数のぼかし画像を生成する。
【００１９】
まず、図２を用いてカメラ１０の撮影処理について説明する。この図２に示す撮影処理では、制御部１９は、撮影処理において、図３で後述するぼかし画像生成処理で画像内の主要被写体と背景とを分離するために用いるマップ情報を生成して、画像ファイル内に格納しておく。制御部１９は、このマップ情報を生成するために、撮影処理において予備撮影と本撮影を行う。以下、撮影処理の詳細について説明する。
【００２０】
ステップＳ１０において、制御部１９は、レンズ駆動部１２を制御して、レンズ１１の自動焦点調整制御（Ａｕｔｏ  Ｆｏｃｕｓ（ＡＦ））処理を行う。また、制御部１９は、測光部２０に上述した評価値の算出を指示し、算出された評価値に基づいて自動露出制御（Ａｕｔｏｍａｔｉｃ Ｅｘｐｏｓｕｒｅ（ＡＥ））処理を行う。また、このとき、制御部１９は、測光部２０が算出した評価値に基づいて、本撮影時のストロボ発光の有無を設定する。
【００２１】
その後、ステップＳ２０へ進み、制御部１９は、使用者によって操作部２４に含まれるレリーズボタンが全押しされたか否かを判断する。ステップＳ２０で否定判断した場合には、ステップＳ３０へ進み、制御部１９は、使用者によってレリーズボタンの半押しが解除されたか否かを判断する。ステップＳ３０で肯定判断した場合には、処理を終了する。これに対して、ステップＳ３０で否定判断した場合には、ステップＳ２０へ戻る。一方、ステップＳ２０で肯定判断した場合には、ステップＳ４０へ進む。
【００２２】
ステップＳ４０では、制御部１９は、上述した予備撮影を行うための予備撮影処理を実行する。この予備撮影処理では、制御部１９は、ステップＳ１０で設定した本撮影時のストロボ発光の有無の設定内容が「ストロボ発光あり」である場合には、ストロボを発光させずに予備撮影を行う。これに対して、制御部１９は、ステップＳ１０で設定した本撮影時のストロボ発光の有無の設定内容が「ストロボ発光なし」である場合には、ストロボを発光させて予備撮影処理を行う。予備撮影処理では、上述したように、撮像素子１３で取得されたアナログ画像信号は、信号処理部１４、データ処理部１７、および圧縮／復号部１８によって処理が施される。そして、その結果生成される予備画像データは、圧縮／復号部１８によってバッファッメモリ１６に記録される。
【００２３】
その後、ステップＳ５０へ進み、制御部１９は、ステップＳ１０で設定した本撮影時のストロボ発光の有無の設定内容に基づいてストロボを発光させて本撮影を行う。本撮影処理では、上述したように、撮像素子１３で取得されたアナログ画像信号は、信号処理部１４、データ処理部１７、および圧縮／復号部１８によって処理が施される。そして、その結果生成される本画像データは、圧縮／復号部１８によってバッファッメモリ１６に記録される。その後、ステップＳ６０へ進む。
【００２４】
ステップＳ６０では、制御部１９は、ステップＳ４０で取得した予備画像データとステップＳ５０で取得した本画像データとを用いて、本画像データの画像（本画像）内の主要被写体と背景とを分離するためのマップ情報を生成する。具体的には、制御部１９は、予備画像データと本画像データとをバッファメモリ１６から読み出して、両画像データ間の輝度比較を行なう。そして、制御部１９は、両画像データ間の輝度値の相違量が所定の閾値を超える領域を本画像データ内で特定して、これを被写体領域とする。また、制御部１９は、本画像データ内の被写体領域以外の領域を背景領域として特定する。そして、制御部１９は、本画像データ内における被写体領域の分布状況と背景領域の分布状況を表したマップ情報を生成して、ステップＳ７０へ進む。
【００２５】
ステップＳ７０では、制御部１９は、ステップＳ５０で取得した本画像データに所定のヘッダ情報を付加した画像ファイルを生成する。また、制御部１９は、この画像ファイル内に、ステップＳ６０で生成したマップ情報を格納することによって、本画像データとマップ情報を関連付ける。そして、制御部１９は、生成した画像ファイルを記憶媒体２２に記録する。その後、ステップＳ８０へ進む。
【００２６】
ステップＳ８０では、制御部１９は、記憶媒体２２に記録されているぼかし対象画像管理テーブルに、ステップＳ７０で記憶媒体２２に記録した画像ファイルが図３で後述するぼかし画像生成処理の対象であることを示す情報を記録した後、処理を終了する。
【００２７】
例えば、制御部１９は、ぼかし対象画像管理テーブルに、ステップＳ７０で記録した画像ファイルのファイル名と、ぼかし処理対象フラグのフラグ値とを対応付けて記録する。ぼかし処理対象フラグのフラグ値としては、例えば、その画像がぼかし画像生成処理の対象である場合には、フラグ値として１を記録し、その画像がぼかし画像生成処理の対象でない場合には、フラグ値として０を記録する。
【００２８】
すなわち、制御部１９は、カメラ１０のモードがぼかし処理設定モードに設定されているときに撮影が行われて画像ファイルを生成した場合には、その画像ファイルのファイル名とぼかし処理対象フラグ値＝１とを対応付けてぼかし対象画像管理テーブルに記録する。一方、制御部１９は、カメラ１０のモードが通常の撮影モードに設定されているときに撮影が行われて画像ファイルを生成した場合には、その画像ファイルのファイル名とぼかし処理対象フラグ値＝０とを対応付けてぼかし対象画像管理テーブルに記録する。
【００２９】
制御部１９は、使用者によって操作部２４に含まれる電源ボタンが操作されてカメラ１０の電源のオフが指示されたときに、図３に示すぼかし画像生成処理を実行する。以下、図３を用いて、カメラ１０のぼかし画像生成処理について説明する。
【００３０】
ステップＳ１１０において、制御部１９は、記憶媒体２２に記録されているぼかし対象画像管理テーブルをバッファメモリ１６に読み出し、読み出したぼかし対象画像管理テーブルを参照して、ぼかし処理対象の画像ファイル、すなわちぼかし処理対象フラグ値が１の画像ファイルが記憶媒体２２に記録されているか否かを判断する。ステップＳ１１０で否定判断した場合には、処理を終了する。これに対して、ステップＳ１１０で肯定判断した場合には、ステップＳ１２０へ進む。
【００３１】
ステップＳ１２０では、制御部１９は、ぼかし対象画像管理テーブルを参照してぼかし処理対象フラグ値が１の画像ファイルを特定し、特定した画像ファイルを記憶媒体２２からバッファメモリ１６へ読み出して、ステップＳ１３０へ進む。ステップＳ１３０では、制御部１９は、フラッシュメモリ１６に読み出したぼかし処理対象の画像ファイル内から上述した本画像データとマップ情報とを読み出し、マップ情報を参照して本画像データ内の主要被写体と背景とを分離する。その後、ステップＳ１４０へ進む。
【００３２】
ステップＳ１４０では、制御部１９は、生成するぼかし画像データのぼかし強度としてのぼかし段数を１に設定する。ここでぼかし段数について説明する。本実施の形態では、ぼかし画像を生成するためのぼかし強度として、複数の段数（１段からＮ段）の強度があらかじめ設定されており、ぼかし強度は段数が大きくなるほど強くなる。データ処理部１７は、制御部１９からの指示に基づいて、設定されている複数段数分のぼかし処理を実行して、その段数分に相当する数だけぼかし画像データを生成する。
【００３３】
このぼかし段数に応じたぼかし強度は、例えば国際公開第２００７／０４９６３４号に開示されている点拡がり関数によって定義される。そして、各点拡がり関数に応じた強度のぼかし処理を画像に施すためのデジタルフィルタが、各ぼかし段数ごとに用意されている。よって、データ処理部１７は、制御部１９からぼかし処理の実行指示があった場合には、制御部１９によってステップＳ１４０または後述するステップＳ１９０で設定されたぼかし段数に応じたフィルタを選択する。そして、データ処理部１７は、選択したフィルタを本画像データの背景領域に適用することによって、本画像データの背景領域を設定されたぼかし段数に応じたぼかし強度でぼかしたぼかし画像データを生成する。
【００３４】
その後、ステップＳ１５０へ進み、制御部１９は、ステップＳ１３０で画像ファイル内から読み出した本画像データのコピー（コピー画像データ）を作成し、バッファメモリ１６に記録して、ステップＳ１６０へ進む。ステップＳ１６０では、制御部１９は、ステップＳ１３０で作成したコピー画像データの背景領域に対して、ステップＳ１４０で設定したぼかし段数に応じたぼかし強度でぼかし処理を施すように、データ処理部１７に指示する。なお、コピー画像データの背景領域は、ステップＳ１３０で分離した主画像データの背景領域と一致する。
【００３５】
ステップＳ１６０で制御部１９からぼかし処理の実行指示を受けたデータ処理部１７は、ステップＳ１４０で設定されたぼかし段数に応じた点拡がり関数のフィルタを用いて、国際公開第２００７／０４９６３４号に開示されているボケ強調処理と同様の処理をコピー画像データの背景領域に対して実行することによって、コピー画像データの背景領域をぼかす。その後、ステップＳ１７０へ進み、データ処理部１７は、生成したぼかし画像データをバッファメモリ１６に保存して、ステップＳ１８０へ進む。
【００３６】
ステップＳ１８０では、制御部１９は、あらかじめ設定されている全てのぼかし段数についてのぼかし処理が完了したか否かを判断する。ステップＳ１８０で肯定判断した場合には、ステップＳ２００へ進む。これに対して、ステップＳ１８０で否定判断した場合には、ステップＳ１９０へ進み、ぼかし段数の設定値に１を加算して、ステップＳ１５０に戻る。このように、ステップＳ１８０で肯定判断するまでの間、ぼかし段数の設定値に１を加算しながらステップＳ１５０からステップＳ１７０の処理を繰り返すことによって、あらかじめ設定されている複数段数分のぼかし画像データを生成することができる。
【００３７】
ステップＳ２００では、制御部１９は、本画像データと各ぼかし画像データとの差分値を算出する。例えば、本画像データとぼかし段数に１を設定して生成されたぼかし画像データの差分値、本画像データとぼかし段数に２を設定して生成されたぼかし画像データの差分値といったように、本画像データとぼかし画像データとの差分値を、生成したぼかし画像ごとに算出する。その後、ステップＳ２１０へ進む。
【００３８】
ステップＳ２１０では、制御部１９は、ステップＳ２００で算出した複数の差分値を符号化した後、それぞれを圧縮、例えばハフマン圧縮し、各圧縮データをステップＳ１２０で読み出した画像ファイル内に記録する。例えば、あらかじめ設定されていたぼかし段数が２であることにより、段数１の圧縮データと段数２の圧縮データとが生成された場合には、図４に示すような画像ファイルが生成される。すなわち、この画像ファイルには、ヘッダ部４ａ、本画像データ４ｂ、段数１の圧縮データ４ｃ、段数２の圧縮データ４ｄ、および図２の撮影処理で作成されたマップ情報４ｅとが格納される。
【００３９】
これによって、ぼかし画像データの生成元となった本画像データと、その本画像データに基づいて生成したぼかし画像データを生成するために必要なデータとしての圧縮データとを関連付けて記録することができる。制御部１９は、後にこの画像ファイルを読み込んだ場合には、段数１の圧縮データを解凍して差分値を得た後、その差分値を本画像データから減算することにより、ぼかし段数１に対応するぼかし強度で本画像データの背景をぼかしたぼかし画像データを生成することができる。制御部１９は、圧縮データを記録した後の画像ファイルで記憶媒体２２に記録されている元画像ファイルを上書き保存する。また、制御部１９は、画像ファイルのヘッダ部４ａに圧縮データ４ｃに対応するぼかし段数を示す情報、および圧縮データ４ｄに対応するぼかし段数を示す情報を記録しておく。
【００４０】
その後、ステップＳ２２０へ進み、制御部１９は、ステップＳ１１０でバッファメモリ１６に読み出したぼかし対象画像管理テーブルに記録されている、ステップＳ２１０で上書き保存が完了した画像ファイルのぼかし処理対象フラグの値を１から０に変更してテーブルを更新する。その後、ステップＳ２３０へ進む。
【００４１】
ステップＳ２３０では、バッファメモリ１６内のぼかし対象画像管理テーブルを参照して、全てのぼかし処理対象の画像ファイルについて処理が完了したか否か、すなわち、ぼかし処理対象フラグ値が１の画像ファイルが残っていないかを判断する。ステップＳ２３０で否定判断した場合には、ステップＳ１２０へ戻って処理を繰り返す。すなわち、制御部１９は、ステップＳ１２０において、ぼかし対象画像管理テーブルを参照して、ぼかし処理が完了していない画像ファイル、すなわちぼかし処理対象フラグ値が１の画像ファイルを特定し、特定した画像ファイルを記憶媒体２２からバッファメモリ１６へ読み出して、上記処理を実行する。これに対して、ステップＳ２３０で肯定判断した場合には、処理を終了する。
【００４２】
以上の処理によって、本画像データと圧縮データとを１つの画像ファイルに格納することによって関連付けて記憶媒体２２に記録することができる。本実施の形態では、使用者は、記憶媒体２２に記録されている各画像ファイルについてのぼかし画像をモニタ２１上で閲覧することができる。以下、図５を用いて、本実施の形態におけるぼかし画像表示処理について説明する。なお、図５に示す処理は、使用者によって操作部２４が操作されて、カメラ１０のモードがぼかし画像表示モードに設定されると起動するプログラムとして、制御部１９によって実行される。
【００４３】
ステップＳ３１０において、制御部１９は、図６に示すぼかし画像表示画面をモニタ２１に表示し、このぼかし画像表示画面上に記憶媒体２２に記録されている画像ファイルのそれぞれに対応するぼかし画像データを表示する。具体的には、制御部１９は、記憶媒体２２に記録されているいずれか１つの画像ファイルから本画像データと圧縮データとを読み出す。このとき、制御部１９は、画像ファイル内に複数段数分のぼかし強度の圧縮データが記録されている場合には、全てのぼかし段数の圧縮データを読み出す。
【００４４】
そして、制御部１９は、読み出した各圧縮データを解凍して上述した本画像データとぼかし画像データとの差分値を取得し、本画像データからそれぞれの差分値を減算することによって、複数段数分のぼかし画像データを生成する。制御部１９は、生成したぼかし画像データをバッファメモリ１６に記録する。制御部１９は、記憶媒体２２に記録されている全ての画像ファイルを対象として上記処理を行うことによって、全ての画像ファイルのそれぞれについて、複数段数分のぼかし画像データを生成することができる。
【００４５】
例えば、本実施の形態では、図３に示したぼかし画像生成処理でぼかし強度が１段から３段までの３段分のぼかし強度でぼかし画像データが生成され、画像ファイル内に上記３段分の圧縮データが記録されているものとする。この場合には、制御部１９は、各画像ファイルごとに３段分のぼかし強度でぼかし処理が施された３つのぼかし画像データが生成される。なお、本実施の形態では、ぼかし段数が１段のぼかし強度を「小」、ぼかし段数が２段のぼかし強度を「中」、ぼかし段数が３段のぼかし強度を「大」とそれぞれ呼ぶこととする。
【００４６】
制御部１９は、上記処理によって生成したぼかし画像データを、各画像ファイルごとにグループ化してぼかし画像表示画面に出力する。また、制御部１９は、ぼかし画像表示画面上に表示した各ぼかし画像に対応付けて、それぞれのぼかし画像のぼかし強度を示す情報、例えば「小」、「中」、「大」を表示する。すなわち、制御部１９は、画像ファイルのヘッダ部に記録されているそれぞれの圧縮データに対応するぼかし段数を示す情報を読み込んで、その情報に基づいて特定できるぼかし段数に応じて「小」、「中」、「大」のいずれかの文字をぼかし画像に対応付けて表示する。これによって、ぼかし画像表示画面上にでは、図６に示すように、各画像ファイルごとにグループ化されたぼかし強度が小、中、大のそれぞれのぼかし画像が一覧表示される。
【００４７】
なお、この図６に示す例では、ファイル名がＤＳＣ０００１．ＪＰＧの画像ファイルに対応するぼかし強度が小、中、大のぼかし画像、およびファイル名がＤＳＣ０００２．ＪＰＧの画像ファイルに対応するぼかし強度が小、中、大のぼかし画像がぼかし画像表示画面上に一覧表示されている。
【００４８】
その後、ステップＳ３２０へ進み、制御部１９は、使用者によって操作部２４が操作されることにより、ぼかし画像の一覧表示の終了が指示されたか否かを判断する。肯定判断した場合には処理を終了し、否定判断した場合にはステップＳ３３０へ進む。ステップＳ３３０では、制御部１９は、制御部１９は、使用者によるぼかし画像表示指示があったか否かを判断する。使用者は、図６に示すぼかし画像表示画面上で、操作部２４を操作することにより、いずれかのぼかし画像を選択して、選択したぼかし画像を全画面表示するように指示することができる。
【００４９】
例えば、使用者は、操作部２４に含まれる十字ボタンを操作することにより、ぼかし画像表示画面上で画像選択用のカーソルを移動させ、全画面表示を行いたいぼかし画像にカーソルを合わせた状態で操作部２４に含まれる決定ボタンを押下することによって、ぼかし画像の全画面表示を指示することができる。ステップＳ３３０で肯定判断した場合には、ステップＳ３４０へ進む。
【００５０】
ステップＳ３４０では、制御部１９は、上述した使用者の全画面表示指示に基づいて、カーソルにより選択されているぼかし画像をモニタ２１に全画面表示してステップＳ３５０へ進む。ステップＳ３５０では、制御部１９は、使用者によって操作部２４が操作されることにより、全画面表示対象のぼかし画像の変更が指示されたか否か、すなわち、現在表示されているぼかし画像とは異なるぼかし強度のぼかし画像への表示切替指示があったか否かを判断する。
【００５１】
例えば、使用者は、モニタ２１上にぼかし画像が全画面表示されているときには、十字ボタンの上ボタンまたは下ボタンを押下することによって、全画面表示するぼかし画像を、現在表示中のぼかし画像と同じ画像ファイルに対応する異なるぼかし強度のぼかし画像へ切り替えるように指示することができる。具体的には、現在モニタ２１上に全画面表示されているぼかし画像がＤＳＣ０００１．ＪＰＧのぼかし強度「中」のぼかし画像である場合には、使用者は、十字ボタンの上ボタンを押下することによって、全画面表示対象をＤＳＣ０００１．ＪＰＧのぼかし強度「大」のぼかし画像に変更するように指示することができる。
【００５２】
また、現在モニタ２１上に全画面表示されているぼかし画像がＤＳＣ０００１．ＪＰＧのぼかし強度「中」のぼかし画像である場合には、使用者は、十字ボタンの下ボタンを押下することによって、全画面表示対象をＤＳＣ０００１．ＪＰＧのぼかし強度「小」のぼかし画像に変更するように指示することができる。ステップＳ３５０で肯定判断した場合には、ステップＳ３４０へ戻り、制御部１９は、使用者の変更指示に基づいて、異なるぼかし強度のぼかし画像をモニタ２１上に表示する。これに対して、ステップＳ３５０で否定判断した場合には、ステップＳ３６０へ進む。
【００５３】
ステップＳ３６０では、制御部１９は、使用者によって操作部２４が操作されることにより、ぼかし画像の全画面表示の終了が指示されたか否かを判断する。例えば、使用者は、十字ボタンの左ボタンを押下することにより、ぼかし画像の全画面表示を終了して、モニタ２１上の表示を図６に示したぼかし画像表示画面に戻すように指示することができる。ステップＳ３６０で否定判断した場合には、ステップＳ３５０へ戻る。これに対して、ステップＳ３６０で肯定判断した場合には、ステップＳ３１０へ戻り、モニタ２１上の表示を図６に示したぼかし画像表示画面に切り替える。
【００５４】
以上説明した第１の実施の形態によれば、以下のような作用効果を得ることができる。
（１）制御部１９は、撮影処理を行なって画像データを取得したときに、画像内の主要被写体と背景とを分離してマップ情報を生成して画像ファイルに記録しておく。そして、データ処理部１７は、マップ情報に基づいて特定される背景に対して、複数のぼかし強度でぼかし処理を施す。制御部１９は、データ処理部１７によるぼかし処理の結果得られる複数の背景をぼかすために用いるぼかしデータ、すなわち本画像データと複数のぼかし画像データの差分値を圧縮した圧縮データを画像ファイルに格納して本画像ファイルとぼかしデータとを関連付けるようにした。このように、複数のぼかし強度でぼかし処理を施した結果得られるぼかし画像データを生成するための圧縮データを画像ファイルに記録しておくことによって、後に、使用者は、自己の好みに合わせてぼかし処理の程度を変えることができる。
【００５５】
（２）制御部１９は、使用者によってカメラ１０のモードがぼかし画像表示モードに設定された場合には、ぼかし画像表示画面を表示し、そのぼかし画像表示画面上に、ぼかし画像とその画像に適用されているぼかし強度に関する情報、すなわち「小」、「中」、「大」のいずれか情報とを関連付けてモニタ２１に表示するようにした。これによって、使用者は、ぼかし画像を閲覧するとともに、各ぼかし画像に施されているぼかし処理の強度を確認することができる。
【００５６】
（３）制御部１９は、カメラ１０の電源がオフされたときに、図３に示すぼかし画像生成処理を実行するようにした。これによって、使用者によってカメラ１０の電源がオフされたタイミングでぼかし処理を自動的に一括して実行することができる。
【００５７】
―第２の実施の形態―
第２の実施の形態では、制御部１９は、第１の実施の形態の図３に示したぼかし画像生成処理によって生成されたぼかし画像データの背景のぼかし度合い、すなわちぼかし強度を、使用者からの指示に基づいて変更する。そして、変更後のぼかし強度で背景をぼかしたぼかし画像データを生成し、本画像データと生成したぼかし画像データとの差分値を算出して、画像ファイル内の差分値のデータを更新する。なお、第２の実施の形態においては、第１の実施の形態で上述した図１から図６の各図については、第１の実施の形態と同様のため、説明を省略する。
【００５８】
図７は、第２の実施の形態におけるぼかし画像更新処理の流れを示すフローチャートである。図７に示す処理は、使用者によって操作部２４が操作されて、カメラ１００のモードがぼかし画像更新モードに設定されると開始する。なお、第２の実施の形態では、説明の簡略化のため、制御部１９は、図３に示したぼかし画像生成処理において、ぼかし強度の段数を１としたぼかし画像、すなわちぼかし強度が小のぼかし画像のみを生成し、画像ファイル内には、ぼかし強度の段数が１のときの圧縮データのみが記録されているものとする。
【００５９】
ステップＳ４１０において、制御部１９は、図８に示すぼかし強度変更画面をモニタ２１に表示し、このぼかし強度変更画面上に記憶媒体２２に記録されている画像ファイルのうちの１つの画像ファイルに対応するぼかし画像データを表示する。具体的には、制御部１９は、記憶媒体２２に記録されているいずれか１つの画像ファイルを読み出し、読み出した画像ファイル内から本画像データと圧縮データとを読み出す。そして、制御部１９は、圧縮データを解凍して上述した本画像データとぼかし画像データとの差分値を取得し、本画像データから上記差分値を減算することによってぼかし画像データを生成して、生成したぼかし画像データをぼかし強度変更画面上に表示する。
【００６０】
なお、上述したように、第２の実施の形態では、画像ファイル内には、ぼかし強度の段数が１のときの圧縮データのみが記録されていることから、ステップＳ４１０の処理では、ぼかし強度の段数を１としてぼかし処理が施されたぼかし画像データが生成され、ぼかし強度変更画面上には、図８に示すように、ぼかし画像８ａが表示される。
【００６１】
また、制御部１９は、図８に示すように、ぼかし強度変更画面上に使用者がぼかし強度を変更するために操作するぼかし強度変更用バー８ｂとぼかし強度変更用つまみ８ｃとを表示する。制御部１９は、ぼかし強度変更画面表示時には、ぼかし強度変更用バー８ｂ上におけるぼかし強度変更用つまみ８ｃの位置を、ぼかし強度変更画面上に表示中のぼかし画像８ａに適用されているぼかし強度に応じた位置に設定する。すなわち、図８に示す例では、ぼかし画像８ａとしてぼかし強度の段数を１としてぼかし処理が施されたぼかし画像が表示されていることから、ぼかし強度変更用バー８ｂ上におけるぼかし強度変更用つまみ８ｃの位置を「小」の位置に位置させる。
【００６２】
使用者は、操作部２４を操作して、ぼかし強度変更用バー８ｂ上でぼかし強度変更用つまみ８ｃを移動させることによって、ぼかし強度変更画面上に表示されているぼかし画像８ａに対応する本画像データに適用するぼかし強度を変更するように指示することができる。例えば、使用者は、操作部２４に含まれる十字ボタンの上ボタンを押下することによって、ぼかし強度変更用つまみ８ｃを上方向に移動させることができ、上ボタンを押下することによって、ぼかし強度変更用つまみ８ｃを下方向に移動させることができるものとする。
【００６３】
使用者は、十字ボタンを操作して、ぼかし強度変更用バー８ｂ上におけるぼかし強度変更用つまみ８ｃの位置を「中」の位置に移動させることによって、本画像データの背景に対してぼかし段数を２としてぼかし処理を施してぼかし画像データを再生成すように指示することができる。また、使用者は、ぼかし強度変更用バー８ｂ上におけるぼかし強度変更用つまみ８ｃの位置を「大」の位置に移動させることによって、本画像データの背景に対してぼかし段数を３としてぼかし処理を施してぼかし画像データを再生成すように指示することができる。あるいは、使用者は、ぼかし強度変更用バー８ｂ上におけるぼかし強度変更用つまみ８ｃの位置を「無し」の位置に移動させることによって、本画像データの背景にぼかし処理を施さない画像データを再生成すように指示することができる。
【００６４】
その後、ステップＳ４２０へ進み、制御部１９は、使用者によって操作部２４が操作されることにより、ぼかし画像更新モードの終了が指示されたか否かを判断する。肯定判断した場合には、処理を終了する。これに対して、否定判断した場合には、ステップＳ４３０へ進む。
【００６５】
ステップＳ４３０では、制御部１９は、上述したように、使用者によってぼかし強度変更用バー８ｂにおけるぼかし強度変更用つまみ８ｃの位置が変更されることによって、本画像データの背景をぼかすためのぼかし強度の変更が指示されたか否かを判断する。ステップＳ４３０で否定判断した場合には、ステップＳ４９０へ進む。ステップＳ４９０では、制御部１９は、使用者によって操作部２４が操作されることにより、ぼかし強度変更画面上に表示されているぼかし画像８ａを他の画像ファイルのぼかし画像に変更するように指示されたか否かを判断する。
【００６６】
例えば、使用者は、操作部２４に含まれる十字ボタンの右ボタンを押下することによって、ぼかし強度変更画面上に表示されているぼかし画像８ａを記憶媒体２２に記録されている次の画像ファイルのぼかし画像に変更するように指示することができる。また、使用者は、操作部２４に含まれる十字ボタンの左ボタンを押下することによって、ぼかし強度変更画面上に表示されているぼかし画像８ａを記憶媒体２２に記録されている前の画像ファイルのぼかし画像に変更するように指示することができる。
【００６７】
ステップＳ４９０で肯定判断した場合には、ステップＳ４１０へ戻り、制御部１９は、使用者による十字ボタンの操作に応じた画像ファイルを記憶媒体２２から読み出し、読み出した画像ファイル内に格納されている本画像データと圧縮データとに基づいて、ぼかし画像データを生成し、生成したぼかし画像データをぼかし強度変更画面上に表示する。これに対して、ステップＳ４９０で否定判断した場合には、ステップＳ４２０へ戻る。
【００６８】
一方、ステップＳ４３０で肯定判断した場合には、ステップＳ４４０へ進む。ステップＳ４４０では、制御部１９は、ぼかし強度変更画面上に表示されているぼかし画像８ａに対応する画像ファイルから本画像データを読み出して、データ処理部１７に対して本画像データの背景をぼかし強度変更用バー８ｂ上におけるぼかし強度変更用つまみ８ｃの位置に応じたぼかし強度でぼかしてぼかし画像データを生成するように指示する。制御部１９から指示を受けたデータ処理部１７は、図３のステップＳ１５０およびＳ１６０で上述した処理を実行して、本画像データをコピーして得たコピー画像データの背景をぼかし強度変更用バー８ｂ上におけるぼかし強度変更用つまみ８ｃの位置に応じたぼかし強度でぼかしてぼかし画像データを生成する。
【００６９】
その後、ステップＳ４５０へ進み、データ処理部１７は、生成したぼかし画像データをバッファメモリ１６に保存して、ステップＳ４６０へ進む。ステップＳ４６０では、制御部１９は、第１の実施の形態と同様に、本画像データとステップＳ４４０で生成されたぼかし画像データとの差分値を算出して、ステップＳ４７０へ進む。
【００７０】
ステップＳ４７０では、制御部１９は、ステップＳ４６０で算出した差分値を符号化した後、それぞれを圧縮、例えばハフマン圧縮し、生成した圧縮データでぼかし強度変更画面上に表示されているぼかし画像８ａに対応する画像ファイルに格納されている圧縮データを更新する。また、制御部１９は、画像ファイルのヘッダ部に記録されているぼかし段数を示す情報を、使用者によって変更された後のぼかし強度の段数を示す情報で更新する。これによって、制御部１９は、使用者によるぼかし強度の変更指示を受け付けて、その指示内容に基づいて画像ファイルを更新することができる。
【００７１】
その後、ステップＳ４８０へ進み、制御部１９は、ステップＳ４４０でデータ処理部１７によって作成されたぼかし画像データ、すなわち使用者によって指示された変更後のぼかし強度でぼかし処理が施されたぼかし画像データをぼかし強度変更画面上に出力することにより、使用者による変更指示内容を反映させたぼかし画像８ａをぼかし強度変更画面上に表示する。これによって、使用者は、ぼかし強度の変更指示を行った結果生成されたぼかし画像をすぐに確認することができる。
【００７２】
以上説明した第２の実施の形態によれば、第１の実施の形態における作用効果に加えて、以下の効果を得ることができる。
【００７３】
使用者によって本画像データの背景に対して適用するぼかし強度が変更された場合には、データ処理部１７は、変更後のぼかし強度で本画像データの背景に対してぼかし処理を施し、制御部１９は、画像ファイルに記録されている圧縮データを、変更後のぼかし強度を用いたぼかし処理の結果として生成される圧縮データで上書きするようにした。また、制御部１９は、画像ファイルのヘッダ部にぼかしデータが生成されたときに適用されたぼかし強度に関する情報、すなわちぼかし段数を示す情報を記録するようにした。そして、制御部１９は、使用者によってぼかし強度の変更が指示されて圧縮データを新たな圧縮データで更新した場合には、画像ファイルのヘッダ部に記録されているぼかし段数を示す情報も変更後のぼかし段数を示す情報で更新するようにした。これによって、使用者は、ぼかし強度を任意に変更して、その結果を用いて画像ファイルを更新させることができる。
【００７４】
―変形例―
なお、上述した実施の形態のカメラは、以下のように変形することもできる。
（１）上述した第１の実施の形態では、制御部１９は、カメラ１０の電源がオフされたタイミングで図３に示したぼかし画像生成処理を実行する例について説明した。しかしながら、制御部１９は、電源オフ時に自動的にぼかし処理を行わずに、使用者による実行指示に基づいてぼかし画像生成処理を実行してもよい。この場合、使用者からのぼかし画像生成処理を受け付けた場合には、制御部１９は、第１の実施の形態の図３で上述した処理と同様に、本画像データごとに複数のぼかし強度でぼかした複数のぼかし画像データを生成してもよい。あるいは、制御部１９は、第２の実施の形態で図８に示したぼかし強度変更画面と同様の画面上で、使用者によるぼかし強度の指定を受け付け、使用者によって指定されたぼかし強度で背景をぼかしてぼかし画像データを生成してもよい。
【００７５】
（２）上述した第１の実施の形態では、制御部１９は、図２に示した撮影処理で画像内の主要被写体と背景とを分離するために用いるマップ情報を生成して、画像ファイル内に格納する例について説明した。しかしながら、制御部１９は、図３に示したぼかし画像生成処理においてマップ情報を生成してもよい。例えば、制御部１９は、ステップＳ１３０で本画像データ内の主要被写体と背景とを分離する前に、図２のステップＳ６０の処理を実行してマップ情報を作成し、画像ファイル内に格納するようにしてもよい。
【００７６】
（３）上述した第１の実施の形態では、制御部１９は、本画像データとぼかし画像データとの差分値を算出し、算出した差分値を圧縮した圧縮データを画像ファイル内に格納することによって、本画像データと圧縮データとを関連付ける例について説明した。すなわち、上述した実施の形態では、本画像データに基づいてぼかし画像データを生成するために用いる圧縮データをぼかしデータとし、当該ぼかしデータを画像ファイルに格納することによって、本画像データとぼかしデータとを関連付ける例について説明した。しかしながら、制御部１９は、データ処理部１７によって生成されたぼかし画像データをぼかしデータとして画像ファイルに格納することによって、本画像データとぼかしデータとを関連付けるようにしてもよい。
【００７７】
（４）上述した第１の実施の形態では、制御部１９は、ぼかし対象画像管理テーブルに、画像ファイルのファイル名と、ぼかし処理対象フラグのフラグ値とを対応付けて記録することによって、どの画像ファイルがぼかし対象であるかを管理する例について説明した。しかしながら、制御部１９は、各画像ファイルのヘッダ部にぼかし処理対象フラグのフラグ値を格納することによって、画像ファイルとぼかし処理対象フラグのフラグ値とを対応付けるようにしてもよい。
【００７８】
（５）上述した第１の実施の形態では、制御部１９は、制御部１９は、図６に示すぼかし画像表示画面をモニタ２１に表示して、記憶媒体２２に記録されている画像ファイルのそれぞれに対応するぼかし画像データを表示するようにした。そして、使用者は、ぼかし画像表示画面上で操作部２４を操作して、ぼかし画像を全画面表示して閲覧することができるようにした。しかしながら、制御部１９は、使用者がぼかし画像表示画面上でぼかし画像データの削除を指示できるようにしてもよい。
【００７９】
例えば、使用者は、ぼかし画像表示画面上にぼかし画像が一覧表示されているときに、上述したように操作部２４に含まれる十字ボタンを操作してカーソルを移動させて削除したいぼかし画像を選択し、その状態で操作部２４に含まれる削除ボタンを押下することにより、選択したぼかし画像に対応するぼかし画像データの削除を指示できるようにしてもよい。または、使用者は、上述したように、ぼかし画像を全画面表示しているときに削除ボタンを押下することによって、全画面表示中のぼかし画像に対応するぼかし画像データの削除を指示できるようにしてもよい。そして、制御部１９は、上記いずれかの方法によって使用者が削除を指示したぼかし画像データを対応する画像ファイル内から削除すればよい。
【００８０】
なお、本発明の特徴的な機能を損なわない限り、本発明は、上述した実施の形態における構成に何ら限定されない。また、上述の実施の形態と複数の変形例を組み合わせた構成としてもよい。
【図面の簡単な説明】
【００８１】
【図１】デジタルカメラの一実施の形態の構成を示すブロック図である。
【図２】撮影処理を示すフローチャート図である。
【図３】ぼかし画像生成処理を示すフローチャート図である。
【図４】画像ファイルの構造を模式的に示した図である。
【図５】ぼかし画像表示処理を示すフローチャート図である。
【図６】ぼかし画像表示画面の具体例を示す図である。
【図７】ぼかし画像更新処理を示すフローチャート図である。
【図８】ぼかし強度変更画面の具体例を示す図である。
【符号の説明】
【００８２】
１０  デジタルカメラ、１１  レンズ、１２  レンズ駆動部、１３  撮像素子、１４  信号処理部、１５  タイミングジェネレータ（ＴＧ）、１６  バッファメモリ、１７  データ処理部、１８  圧縮／復号部、１９  制御部、２０  測光部、２１  モニタ、２２  記憶媒体、２３  発光部、２４  操作部
【図１】
2010081050.tif 000003
【図２】
2010081050.tif 000004
【図３】
2010081050.tif 000005
【図４】
2010081050.tif 000006
【図５】
2010081050.tif 000007
【図６】
2010081050.tif 000008
【図７】
2010081050.tif 000009
【図８】
2010081050.tif 000010